(57)【要約】【課題】  特定の会場においてディジタルカメラにて撮影された人物の写真プリントを行う際に、撮影したディジタル画像データの指定及び枚数の指定を簡便に行うことが可能な写真プリントシステムを提供する。【解決手段】  ディジタルカメラ１から被撮影者の撮影と同時に、被撮影者の持つタグ２へ向けて送信信号を送信する。タグ２はその送信信号の受信時にタグＩＤ番号を折返し送信する。ディジタルカメラ１はタグ２からのタグＩＤ番号を解析し、被撮影者を撮影したディジタル画像データに対応して、そのタグＩＤ番号をディジタル画像データとともに外部記憶媒体３に画像ファイルとして記憶する。パーソナルコンピュータ４は外部記憶媒体３に記憶された画像ファイルを取り込み、特定の被撮影者または撮影番号が指定されると、被撮影者の画像データまたは撮影番号の画像データを検索して写真プリンタ５に送り、その印刷を行う。【選択図】      図１                                                  
2005303750.tif 000002
【特許請求の範囲】
【請求項１】
撮影装置により撮影されたディジタル画像データを写真プリンタにて写真プリントする写真プリントシステムであって、
前記ディジタル画像データに撮影番号を付与する手段と、前記ディジタル画像データの撮影時に被撮影者の所持する無線タグから当該無線タグに個別に設定された識別情報を取得する手段と、取得した前記撮影番号及び前記識別情報と前記ディジタル画像データとを対応付けて記憶媒体に記憶する手段とを前記撮影装置に有し、
前記記憶媒体から前記撮影番号及び前記識別情報と前記ディジタル画像データとを読込む手段と、外部から指定された識別情報及び撮影番号のいずれかに応じて前記ディジタル画像データを検索する検索手段と、前記撮影番号にて検索されたディジタル画像データに対応する識別情報の数を集計する集計手段とを含む画像プリント指定装置を有し、
前記検索手段の検索結果及び前記集計手段の集計結果に基づいて前記ディジタル画像データを前記写真プリンタにて写真プリントすることを特徴とする写真プリントシステム。
【請求項２】
前記撮影装置は、前記識別情報を取得する際に、前記無線タグに対して無線信号にて前記識別情報の取得要求を送信することを特徴とする請求項１記載の写真プリントシステム。
【請求項３】
前記撮影装置は、前記識別情報を取得する際に、前記無線タグに対して光信号にて前記識別情報の取得要求を送信することを特徴とする請求項１記載の写真プリントシステム。
【請求項４】
前記撮影装置は、前記識別情報の取得要求を一定時間送信することを特徴とする請求項２または請求項３記載の写真プリントシステム。
【請求項５】
前記撮影装置は、前記識別情報の取得要求を前記ディジタル画像データを撮影するためのシャッタからの入力が復旧するまで送信し、
前記タグは、前記識別情報の取得要求の送信が停止するまで前記識別情報の送信を続行することを特徴とする請求項２または請求項３記載の写真プリントシステム。
【請求項６】
前記タグは、前記識別情報を一定時間送信することを特徴とする請求項２から請求項４のいずれか記載の写真プリントシステム。
【請求項７】
前記撮影装置は、前記タグからの前記識別情報の送信を停止させるための停止要求を送信することを特徴とする請求項２から請求項４のいずれか記載の写真プリントシステム。
【請求項８】
前記撮影装置は、前記識別情報を取得した時に、撮影したディジタル画像データと前記識別情報及び当該識別情報に対応する被撮影者名のいずれかとを表示することを特徴とする請求項１から請求項７のいずれか記載の写真プリントシステム。
【請求項９】
写真プリンタにて写真プリント可能なディジタル画像データを撮影する撮影装置であって、
前記ディジタル画像データに撮影番号を付与する手段と、前記ディジタル画像データの撮影時に被撮影者の所持する無線タグから当該無線タグに個別に設定された識別情報を取得する手段と、取得した前記撮影番号及び前記識別情報と前記ディジタル画像データとを対応付けて記憶媒体に記憶する手段とを有し、
外部から指定された識別情報及び撮影番号のいずれかに応じて前記ディジタル画像データを検索するとともに、前記撮影番号にて検索されたディジタル画像データに対応する識別情報の数を集計し、それら検索結果及び集計結果に基づいて前記ディジタル画像データを前記写真プリンタにて写真プリントさせることを特徴とする撮影装置。
【請求項１０】
前記識別情報を取得する際に、前記無線タグに対して無線信号にて前記識別情報の取得要求を送信することを特徴とする請求項９記載の撮影装置。
【請求項１１】
前記識別情報を取得する際に、前記無線タグに対して光信号にて前記識別情報の取得要求を送信することを特徴とする請求項９記載の撮影装置。
【請求項１２】
前記識別情報の取得要求を一定時間送信することを特徴とする請求項１０または請求項１１記載の撮影装置。
【請求項１３】
前記識別情報の取得要求を前記ディジタル画像データを撮影するためのシャッタからの入力が復旧するまで送信し、前記タグが前記識別情報の取得要求の送信が停止するまで前記識別情報の送信を続行することを特徴とする請求項１０または請求項１１記載の撮影装置。
【請求項１４】
前記タグが前記識別情報を一定時間送信することを特徴とする請求項１０から請求項１２のいずれか記載の撮影装置。
【請求項１５】
前記撮影装置は、前記タグからの前記識別情報の送信を停止させるための停止要求を送信することを特徴とする請求項１０から請求項１２のいずれか記載の撮影装置。
【請求項１６】
前記撮影装置は、前記識別情報を取得した時に、撮影したディジタル画像データと前記識別情報及び当該識別情報に対応する被撮影者名のいずれかとを表示することを特徴とする請求項９から請求項１５のいずれか記載の撮影装置。
【請求項１７】
撮影装置により撮影されたディジタル画像データを写真プリンタにて写真プリントする写真プリントシステムにおいて前記写真プリンタにて写真プリントするディジタル画像データを指定する画像プリント指定装置であって、
前記撮影装置にて前記ディジタル画像データに付与した撮影番号と、前記ディジタル画像データの撮影時に被撮影者の所持する無線タグから取得した当該無線タグに個別に設定された識別情報とが前記ディジタル画像データに対応付けられて記憶された記憶媒体から前記撮影番号及び前記識別情報と前記ディジタル画像データとを読込む手段と、外部から指定された識別情報及び撮影番号のいずれかに応じて前記ディジタル画像データを検索する検索手段と、前記撮影番号にて検索されたディジタル画像データに対応する識別情報の数を集計する集計手段とを有し、
前記検索手段の検索結果及び前記集計手段の集計結果に基づいて前記ディジタル画像データを前記写真プリンタにて写真プリントさせることを特徴とする画像プリント指定装置。
【請求項１８】
前記撮影装置にて前記識別情報を取得する際に、前記無線タグに対して無線信号にて前記識別情報の取得要求を送信することを特徴とする請求項１７記載の画像プリント指定装置。
【請求項１９】
前記撮影装置にて前記識別情報を取得する際に、前記無線タグに対して光信号にて前記識別情報の取得要求を送信することを特徴とする請求項１７記載の画像プリント指定装置。
【請求項２０】
前記撮影装置にて前記識別情報の取得要求を一定時間送信することを特徴とする請求項１８または請求項１９記載の画像プリント指定装置。
【請求項２１】
前記撮影装置にて前記識別情報の取得要求を前記ディジタル画像データを撮影するためのシャッタからの入力が復旧するまで送信し、
前記タグにて前記識別情報の取得要求の送信が停止するまで前記識別情報の送信を続行することを特徴とする請求項１８または請求項１９記載の画像プリント指定装置。
【請求項２２】
前記タグにて前記識別情報を一定時間送信することを特徴とする請求項１８から請求項２０のいずれか記載の画像プリント指定装置。
【請求項２３】
前記撮影装置にて前記タグからの前記識別情報の送信を停止させるための停止要求を送信することを特徴とする請求項１８から請求項２０のいずれか記載の画像プリント指定装置。
【請求項２４】
前記撮影装置にて前記識別情報を取得した時に、撮影したディジタル画像データと前記識別情報及び当該識別情報に対応する被撮影者名のいずれかとを表示することを特徴とする請求項１７から請求項２３のいずれか記載の画像プリント指定装置。
【請求項２５】
撮影装置により撮影されたディジタル画像データを写真プリンタにて写真プリントする写真プリントシステムを構成する画像プリント指定装置において前記写真プリンタにて写真プリントするディジタル画像データを指定する画像プリント指定方法であって、
前記画像プリント指定装置側に、前記撮影装置にて前記ディジタル画像データに付与した撮影番号と、前記ディジタル画像データの撮影時に被撮影者の所持する無線タグから取得した当該無線タグに個別に設定された識別情報とが前記ディジタル画像データに対応付けられて記憶された記憶媒体から前記撮影番号及び前記識別情報と前記ディジタル画像データとを読込むステップと、外部から指定された識別情報及び撮影番号のいずれかに応じて前記ディジタル画像データを検索するステップと、前記撮影番号にて検索されたディジタル画像データに対応する識別情報の数を集計するステップとを有し、
それら検索結果及び集計結果に基づいて前記ディジタル画像データを前記写真プリンタにて写真プリントさせることを特徴とする画像プリント指定方法。
【請求項２６】
前記撮影装置にて前記識別情報を取得する際に、前記無線タグに対して無線信号にて前記識別情報の取得要求を送信することを特徴とする請求項２５記載の画像プリント指定方法。
【請求項２７】
前記撮影装置にて前記識別情報を取得する際に、前記無線タグに対して光信号にて前記識別情報の取得要求を送信することを特徴とする請求項２５記載の画像プリント指定方法。
【請求項２８】
前記撮影装置にて前記識別情報の取得要求を一定時間送信することを特徴とする請求項２６または請求項２７記載の画像プリント指定方法。
【請求項２９】
前記撮影装置にて前記識別情報の取得要求を前記ディジタル画像データを撮影するためのシャッタからの入力が復旧するまで送信し、
前記タグにて前記識別情報の取得要求の送信が停止するまで前記識別情報の送信を続行することを特徴とする請求項２６または請求項２７記載の画像プリント指定方法。
【請求項３０】
前記タグにて前記識別情報を一定時間送信することを特徴とする請求項２６から請求項２８のいずれか記載の画像プリント指定方法。
【請求項３１】
前記撮影装置にて前記タグからの前記識別情報の送信を停止させるための停止要求を送信することを特徴とする請求項２６から請求項２８のいずれか記載の画像プリント指定方法。
【請求項３２】
前記撮影装置にて前記識別情報を取得した時に、撮影したディジタル画像データと前記識別情報及び当該識別情報に対応する被撮影者名のいずれかとを表示することを特徴とする請求項２５から請求項３１のいずれか記載の画像プリント指定方法。
【発明の詳細な説明】
【技術分野】
【０００１】
本発明は写真プリントシステム、撮影装置、画像プリント指定装置及びそれらに用いる画像プリント指定方法に関し、特にディジタルカメラで撮影した画像を写真プリントする際の枚数等の指定方法に関する。
【背景技術】
【０００２】
近年、ディジタルカメラの高画質化や操作の簡便化に伴って、ディジタルカメラが普及してきている。このディジタルカメラでは人物等の撮影時に、撮影した画像をディジタル画像データとして内部メモリや外部記憶媒体（メモリカード等）に記憶し、記憶したディジタル画像データをパーソナルコンピュータ（以下、パソコンとする）や写真プリンタへ取り込み、写真プリントしている（例えば、特許文献１参照）。
【０００３】
従来、結婚式や同窓会、あるいは特定の会議において、ある程度決まった人が多く集まる会場において、参加者をディジタルカメラにて撮影し、撮影したディジタル画像データを写真プリントする場合、ディジタル画像ファイルにはＴＩＦＦ（Ｔａｇｇｅｄ  Ｉｍａｇｅ  Ｆｉｌｅ  Ｆｏｒｍａｔ）やＪＰＥＧ（Ｊｏｉｎｔ  Ｐｈｏｔｏｇｒａｐｈｉｃ  Ｅｘｐｅｒｔｓ  Ｇｒｏｕｐ）形式の画像データと、撮影した日時や撮影条件からなる管理情報とが記憶されている。
【０００４】
しかしながら、ディジタル画像ファイルにおいては、場所や人物の情報が画像データと関連付けられて記憶されておらず、撮影した画像から被撮影者である人物を識別し、撮影した画像データや写真プリントする枚数を決めなければならず、特定の被撮影者に対応する写真プリントを行うことが容易ではなく、手間がかかる。
【０００５】
一方、遊園地やアトラクション会場にカメラを設置しておき、そのカメラからの映像を希望するユーザにＲＦＩＤ（Ｒａｄｉｏ  Ｆｒｅｑｕｅｎｃｙ  ＩＤｅｎｔｉｆｉｃａｔｉｏｎ）を渡しておき、ユーザがカメラの撮影エリアに入った時に自動的に撮影した画像とＲＦＩＤからのユーザ識別情報とを対応させて画像サーバに蓄積する方法が提案されている（例えば、特許文献２参照）。
【０００６】
ユーザは付与されたユーザ識別情報を用い、端末から画像サーバにアクセスすることで、自らが会場内で撮影された映像データを画像サーバから取得することができ、その映像データを写真プリントすることも可能である。
【０００７】
ＲＦＩＤについては、１３５ＫＨｚや１３．５６ＭＨｚ、及び２．４５ＧＨｚの周波数が使用され、非接触ＩＣ（集積回路）タグとして利用されているが、２．４５ＧＨｚでかつ無電地型であれば数１０センチであるが、電池内蔵型では数ｍの距離まで読取り可能であり、また直進性がある。
【０００８】
また、登録対象の物品を撮影する際に、撮影した物品の画像と物品に添付された無線ＩＤタグから読取った識別情報とを対応付けて記憶する方法が提案されている（例えば、特許文献３参照）。この方法の場合には、撮影対象以外の物品に添付された無線ＩＤタグから識別情報を読取らないように、アンテナの指向性がカメラの焦点距離に応じて調整されている。
【０００９】
【特許文献１】特開２００１−１９７４０６号公報
【特許文献２】特開２００３−１５８７０７号公報
【特許文献３】特開２００４−０２９７４９号公報
【発明の開示】
【発明が解決しようとする課題】
【００１０】
上述した従来のディジタル画像データの写真プリント方法では、ディジタルカメラにて人物を撮影した時点で、撮影したディジタル画像データと、当該ディジタル画像データに対応した被撮影者である特定の人物の情報とが同時に記憶されていない。
【００１１】
したがって、従来のディジタル画像データの写真プリント方法では、ディジタルカメラ撮影後に特定の人物である被撮影者の画像を写真プリントする場合、撮影した画像から被撮影者を識別して指定しなければならず、ディジタルカメラにて撮影したディジタル画像データの指定及び枚数の指定を簡便に行うことができないという問題がある。
【００１２】
また、上記の特許文献２では、自動的に撮影した映像データとＲＦＩＤから取得したユーザ識別情報とを対応させて画像サーバに蓄積しているが、ユーザ識別情報を基に端末にて画像サーバから取得した映像データを写真プリントする場合には、映像データから静止画データを取出し、さらにユーザ自身を切り出して写真プリントしなければならず、上記と同様に、撮影したディジタル画像データの指定及び枚数の指定を簡便に行うことができないという問題がある。
【００１３】
さらに、上記の特許文献３では、撮影した物品の画像と物品に添付された無線ＩＤタグから読取った識別情報とを対応付けて記憶しているが、撮影した物品の画像を画面に表示し、表示中の物品の識別情報を確認するために用いられており、所望の画像を写真プリントする際に識別情報や画像そのものを確認しなければならず、やはり上記と同様に、撮影したディジタル画像データの指定及び枚数の指定を簡便に行うことができないという問題がある。
【００１４】
そこで、本発明の目的は上記の問題点を解消し、特定の会場においてディジタルカメラにて撮影された人物の写真プリントを行う際に、撮影したディジタル画像データの指定及び枚数の指定を簡便に行うことができる写真プリントシステム、撮影装置、画像プリント指定装置及びそれらに用いる画像プリント指定方法を提供することにある。
【課題を解決するための手段】
【００１５】
本発明による写真プリントシステムは、撮影装置により撮影されたディジタル画像データを写真プリンタにて写真プリントする写真プリントシステムであって、
前記ディジタル画像データに撮影番号を付与する手段と、前記ディジタル画像データの撮影時に被撮影者の所持する無線タグから当該無線タグに個別に設定された識別情報を取得する手段と、取得した前記撮影番号及び前記識別情報と前記ディジタル画像データとを対応付けて記憶媒体に記憶する手段とを前記撮影装置に備え、
前記記憶媒体から前記撮影番号及び前記識別情報と前記ディジタル画像データとを読込む手段と、外部から指定された識別情報及び撮影番号のいずれかに応じて前記ディジタル画像データを検索する検索手段と、前記撮影番号にて検索されたディジタル画像データに対応する識別情報の数を集計する集計手段とを含む画像プリント指定装置を備え、
前記検索手段の検索結果及び前記集計手段の集計結果に基づいて前記ディジタル画像データを前記写真プリンタにて写真プリントしている。
【００１６】
本発明による撮影装置は、写真プリンタにて写真プリント可能なディジタル画像データを撮影する撮影装置であって、
前記ディジタル画像データに撮影番号を付与する手段と、前記ディジタル画像データの撮影時に被撮影者の所持する無線タグから当該無線タグに個別に設定された識別情報を取得する手段と、取得した前記撮影番号及び前記識別情報と前記ディジタル画像データとを対応付けて記憶媒体に記憶する手段とを備え、
外部から指定された識別情報及び撮影番号のいずれかに応じて前記ディジタル画像データを検索するとともに、前記撮影番号にて検索されたディジタル画像データに対応する識別情報の数を集計し、それら検索結果及び集計結果に基づいて前記ディジタル画像データを前記写真プリンタにて写真プリントさせている。
【００１７】
本発明による画像プリント指定装置は、撮影装置により撮影されたディジタル画像データを写真プリンタにて写真プリントする写真プリントシステムにおいて前記写真プリンタにて写真プリントするディジタル画像データを指定する画像プリント指定装置であって、
前記撮影装置にて前記ディジタル画像データに付与した撮影番号と、前記ディジタル画像データの撮影時に被撮影者の所持する無線タグから取得した当該無線タグに個別に設定された識別情報とが前記ディジタル画像データに対応付けられて記憶された記憶媒体から前記撮影番号及び前記識別情報と前記ディジタル画像データとを読込む手段と、外部から指定された識別情報及び撮影番号のいずれかに応じて前記ディジタル画像データを検索する検索手段と、前記撮影番号にて検索されたディジタル画像データに対応する識別情報の数を集計する集計手段とを備え、
前記検索手段の検索結果及び前記集計手段の集計結果に基づいて前記ディジタル画像データを前記写真プリンタにて写真プリントさせている。
【００１８】
本発明による画像プリント指定方法は、撮影装置により撮影されたディジタル画像データを写真プリンタにて写真プリントする写真プリントシステムを構成する画像プリント指定装置において前記写真プリンタにて写真プリントするディジタル画像データを指定する画像プリント指定方法であって、
前記画像プリント指定装置側に、前記撮影装置にて前記ディジタル画像データに付与した撮影番号と、前記ディジタル画像データの撮影時に被撮影者の所持する無線タグから取得した当該無線タグに個別に設定された識別情報とが前記ディジタル画像データに対応付けられて記憶された記憶媒体から前記撮影番号及び前記識別情報と前記ディジタル画像データとを読込むステップと、外部から指定された識別情報及び撮影番号のいずれかに応じて前記ディジタル画像データを検索するステップと、前記撮影番号にて検索されたディジタル画像データに対応する識別情報の数を集計するステップとを備え、
それら検索結果及び集計結果に基づいて前記ディジタル画像データを前記写真プリンタにて写真プリントさせている。
【００１９】
すなわち、本発明の画像プリント指定方法は、上記目的を達成するため、被撮影者に特定のＲＦＩＤ（Ｒａｄｉｏ  Ｆｒｅｑｕｅｎｃｙ  ＩＤｅｎｔｉｆｉｃａｔｉｏｎ）タグを手渡しておき、ディジタルカメラにて人物を撮影すると同時に、ディジタルカメラからＲＦＩＤタグへ識別情報を要求する特定信号を送信し、被撮影者が保持するＲＦＩＤタグの受信部にて特定信号を受信した時に、当該タグの送信部からタグ固有の識別情報をディジタルカメラに送信し、ディジタルカメラの受信部にて識別情報を受信した時に、その識別情報を撮影したディジタル画像データに関連付けて記憶させている。
【００２０】
これによって、本発明の画像プリント指定方法では、被撮影者の保持するＲＦＩＤタグの識別情報がディジタル画像とともに記憶され、ディジタル画像データの印刷時に、特定の被撮影者を示す識別情報に対応するディジタル画像データを写真プリントすることが可能となる。また、ディジタル画像データを写真プリントする際に、印刷枚数を指定することなく、必要な枚数分のディジタル画像データの写真プリントを行うことが可能となる。
【００２１】
ここで、ＲＦＩＤ（Ｒａｄｉｏ  Ｆｒｅｑｕｅｎｃｙ  ＩＤｅｎｔｉｆｉｃａｔｉｏｎ）については１３５ＫＨｚや、１３．５６ＭＨｚ、２．４５ＧＨｚの周波数が使用され、非接触ＩＣ（集積回路）タグとして利用されているが、２．４５ＧＨｚであれば無電地型であれば数１０センチであるが、電池内臓型では数ｍの距離まで読み取り可能であり、また直進性がある。
【００２２】
これによって、本発明の画像プリント指定方法では、被撮影者が保持するＲＦＩＤタグの識別情報をディジタル画像データに関連付けて記憶しているので、識別情報を指定すれば、特定の人物を指定可能となるため、被撮影者のディジタル画像データを写真プリントする時点で、ディジタル画像データから被撮影者を指定することなく、被撮影者の識別情報を指定するだけで、ディジタル画像データを検索して写真プリントすることが可能となる。
【００２３】
また、本発明の画像プリント指定方法では、撮影番号に対応した識別情報を記憶しておき、各撮影番号毎に識別情報の数量を集計することで、写真プリントの枚数を被撮影者の人数分指定することが可能となるため、撮影された被撮影者の人数分だけディジタル画像データを印刷することが可能となる。
【発明の効果】
【００２４】
本発明は、以下に述べるような構成及び動作とすることで、特定の会場においてディジタルカメラにて撮影された人物の写真プリントを行う際に、撮影したディジタル画像データの指定及び枚数の指定を簡便に行うことができるという効果が得られる。
【発明を実施するための最良の形態】
【００２５】
次に、本発明の実施例について図面を参照して説明する。図１は本発明の一実施例によるディジタル画像データの写真プリントシステムの構成を示す概念図である。図１において、本発明の一実施例による写真プリントシステムは、ディジタルカメラ１と、タグ２と、外部記憶媒体（例えば、メモリカード等）３と、ディジタル画像プリント装置であるパーソナルコンピュータ（以下、パソコンとする）４と、写真プリンタ５とから構成されている。
【００２６】
タグ２は被撮影者が撮影時に所持するＲＦＩＤ（Ｒａｄｉｏ  Ｆｒｅｑｕｅｎｃｙ  ＩＤｅｎｔｉｆｉｃａｔｉｏｎ）のタグであり、識別可能なタグＩＤ（ＩＤｅｎｔｉｆｉｅｒ）番号（識別情報）を記憶している。
【００２７】
ディジタルカメラ１は被撮影者の撮影毎にタグ２にタグＩＤ番号を要求する信号を送信することで、タグ２からタグＩＤ番号を折り返し送信させ、折り返し送信されてきたタグＩＤ番号と、撮影したディジタル画像データとを関連付けて外部記憶媒体３に記憶させる。
【００２８】
被撮影者の撮影終了後に、パソコン４は外部記憶媒体３に記憶されているディジタル画像データとタグ２からのタグＩＤ番号とを取込んで外部記憶媒体３に記憶させることで、特定の被撮影者のタグＩＤ番号の指定にて、撮影された当該被撮影者のディジタル画像データの検索と、写真プリンタ５による写真プリントとを行うことができる。
【００２９】
ＲＦＩＤについては、１３５ＫＨｚや１３．５６ＭＨｚ、２．４５ＧＨｚの周波数が使用され、非接触ＩＣ（集積回路）タグとして利用されているが、２．４５ＧＨｚでかつ無電地型であれば数１０センチであるが、電池内蔵型では数ｍの距離まで読取り可能であり、また直進性がある。
【００３０】
図２は図１のディジタルカメラ１の構成を示すブロック図である。図２において、ディジタルカメラ１はアンテナ部１１と、ディジタルカメラ撮影機能である撮影部１２と、タグ２への信号の送受信を行う送受信部１３と、撮影した時点の撮影番号を発生させる撮影情報発生部１４と、全体の制御を行う制御部１５と、撮影したディジタル画像データと撮影情報とを外部記憶媒体３に記憶させる外部記憶ＩＦ（インタフェース）１６と、ディジタル撮影画像と撮影番号及びタグ２からのタグＩＤ番号を表示する表示部１７と、シャッタや撮影条件や日時、時刻の設定を入力部１８と、電源部１９とから構成されており、外部記憶ＩＦ１６には外部記憶媒体３が挿抜自在となっている。
【００３１】
図３は図１のタグ２の構成を示すブロック図である。図３において、タグ２はアンテナ部２１と、アンテナ部２１を介して信号の送受信を行う送受信部２２と、タグ２固有のタグＩＤ番号を記憶したＩＤ記憶部２３と、送信時間を制御するタイマ部２４と、全体を制御する制御部２５と、電源部２６とから構成されている。
【００３２】
図４は図１の外部記憶媒体３の構成を示すブロック図である。図４において、外部記憶媒体３はディジタルカメラ１にて撮影した画像データを撮影毎にディジタル画像データファイル３１として記憶し、パソコン４との間でディジタル画像データファイル３１のデータとのやりとりを行うＩＦ部３４を備えている。
【００３３】
ディジタル画像データファイル３１はディジタル画像データ３２と、当該画像データに対応した撮影番号とタグ２から送られてきたタグＩＤ番号及び撮影日時や撮影条件の撮影情報３３とからなっている。
【００３４】
図５は図１のタグ２とそのタグ２を所持する参加者とのリストを示す図である。図５において、リストにはタグ（「タグａ」，「タグｂ」，「タグｃ」，「タグｄ」）と、タグＩＤ番号（「０００１」，「０００２」，「０００３」，「０００４」）と、参加者名（「Ａさん」，「Ｂさん」，「Ｃさん」，「Ｄさん」）とが対応付けられている。
【００３５】
図６は図１の外部記憶媒体３に記憶される画像データ及び撮影情報の記憶リスト例を示す図である。図６において、記憶リストには画像データ（「ｐ１」，「ｐ２」，「ｐ３」，「ｐ４」）と、撮影番号（「１００」，「１０１」，「１０２」，「１０３」）、タグＩＤ番号（「０００１」，「０００２」，「０００３」，「０００４」）、撮影日時（「＊＊＊＊＊＊＊＊＊＊」）、撮影条件（「＊＊＊＊＊＊」）からなる撮影情報とが対応付けられている。
【００３６】
この場合、画像データ「ｐ１」には撮影番号「１００」が付与され、タグＩＤ番号「０００１」，「０００２」に対応する参加者が撮影されていることを示している。画像データ「ｐ２」には撮影番号「１０１」が付与され、タグＩＤ番号「０００１」，「０００３」，「０００４」に対応する参加者が撮影されていることを示している。
【００３７】
画像データ「ｐ３」には撮影番号「１０２」が付与され、タグＩＤ番号「０００２」，「０００４」に対応する参加者が撮影されていることを示している。画像データ「ｐ４」には撮影番号「１０３」が付与され、タグＩＤ番号「０００２」に対応する参加者が撮影されていることを示している。
【００３８】
図７は本発明の一実施例による写真プリントシステムの動作を示すシーケンスチャートである。図７においては、ディジタルカメラ１による撮影から写真プリンタ５による写真プリントまでの流れを示している。
【００３９】
パソコン４には被撮影者である参加者に、パソコン４にて入力したタグ２のタグＩＤ番号と参加者とを関連付けて設定して記憶させている（図７のａ１）。図５に示す例の場合、参加者Ａさんのタグａには「０００１」のタグＩＤ番号、Ｂさんのタグｂには「０００２」のタグＩＤ番号、Ｃさんのタグｃには「０００３」のタグＩＤ番号、Ｄさんのタグｄは「０００４」のタグＩＤ番号がそれぞれ個別のタグＩＤ番号としてパソコン４に記憶される。
【００４０】
外部記憶媒体３にはパソコン４からタグＩＤ番号と被参加者の名前とが事前に登録されており、撮影時点でタグＩＤ番号から名前へと変換し、タグＩＤ番号を取込んだ時点で名前による表示に利用する。
【００４１】
ディジタルカメラ１による撮影者はタグ２をそれぞれの参加者へ渡し、胸ポケットや胸の部分等のディジタルカメラ１からの送信信号を検出可能な部分へ取付けてもらう（図７のａ２）。
【００４２】
ディジタルカメラ１に外部記憶媒体３を取付けて撮影を開始し、タグ２を付けた参加者を撮影する（図７のａ３）。ディジタルカメラ１の入力部１８の一つであるシャッタを押した撮影時点で、ディジタルカメラ１の撮影部１２にてディジタル画像データとし、表示部１７に撮影した画像を表示すると同時に、送受信部１３からアンテナ部１１を介してタグ２へ起動信号（タグＩＤ番号を要求する信号）である第１の送信信号を送信する（図７のａ４）。
【００４３】
タグ２は第１の送信信号を送受信部２２にて受信すると、第１の送信信号を受信した時点で、ＩＤ記憶部２３に記憶してある固有のタグＩＤ番号を、送受信部２２から第２の送信信号として折り返し送信する（図７のａ５）。
【００４４】
ディジタルカメラ１はタグ２から折り返し送信された第２の送信信号を送受信部１３にて受信すると、受信した第２の送信信号からタグＩＤ番号を識別し、ディジタル画像データ３２と、そのディジタル画像データ３２に対応して撮影情報発生部１２にて発生させた撮影番号、撮影日時、撮影条件を含めた撮影情報３３とを外部記憶媒体３へ記憶し、識別したタグＩＤ番号を識別した時点で順次撮影情報３３として記憶する（図７のａ６）。
【００４５】
また、ディジタルカメラ１はタグＩＤ番号を識別するのと同時に、表示部１７へタグＩＤ番号またはタグＩＤ番号に対応した被撮影者の名前を表示し、その他のタグ２からの第２の送信信号を識別した時点で順次記憶させて表示させる。
【００４６】
ディジタルカメラ１は識別したタグＩＤ番号を順次記憶し、タグＩＤ番号を記憶したタグ２に対して第２の送信信号を停止させる第３の送信信号を送るか、またはタグ２が第２の送信信号の送信を開始し始めてから指定した時間が経過したことをタイマ部２４にて検知させて第２の送信信号の送信を停止させてもよい。
【００４７】
あるいは、撮影した被撮影者のタグ２のタグＩＤ番号が全て表示され、入力部１８のスイッチを戻した時点でタグ２からの第２の送信信号の送信を停止させる第３の送信信号を送信させてもよい。
【００４８】
外部記憶媒体３のディジタル画像データファイル３１に記憶した撮影番号で示されるディジタル画像データ３２に対応して記憶される被撮影者のタグＩＤ番号、撮影日時、撮影条件を図６に示す。
【００４９】
撮影が終わると、ディジタルカメラ１の外部記憶媒体３をパソコン４へ接続することで、外部記憶媒体３のディジタル画像データ３２と、ディジタル画像データ３２に対応した撮影番号及びタグＩＤ番号を含む撮影情報３３とからなるディジタル画像ファイル３１がパソコン４に取込まれる（図７のａ７，ａ８）。
【００５０】
パソコン４は特定の被撮影者のタグＩＤ番号が指定されると、外部記憶媒体３から読込まれたディジタル画像ファイル３１のデータから被撮影者が撮影されたディジタル画像データ３２のタグＩＤ番号を検索し、その検索で特定された画像データだけを写真プリンタ５へ送ることで（図７のａ９，ａ１０）、画像データが写真プリントされる。
【００５１】
また、パソコン４は撮影番号が指定されると、その撮影番号に対応して記憶されたタグＩＤ番号の数を集計し、その集計した数だけ撮影番号に対応するディジタル画像データ３２を写真プリンタ５にて印刷することができる。
【００５２】
図８は本発明の他の実施例によるディジタルカメラの構成を示すブロック図であり、図９は本発明の他の実施例によるタグの構成を示すブロック図である。これら図８及び図９を参照して本発明の他の実施例について説明する。
【００５３】
図８において、ディジタルカメラ６はディジタルカメラ撮影機能である撮影部１２と、撮影した時点の撮影番号を発生させる撮影情報発生部１４と、全体の制御を行う制御部１５と、撮影したディジタル画像データと撮影情報とを図示せぬ外部記憶媒体に記憶させる外部記憶ＩＦ（インタフェース）１６と、ディジタル撮影画像と撮影番号及びタグ７からのタグＩＤ番号を表示する表示部１７と、シャッタや撮影条件や日時、時刻の設定を入力部１８と、電源部１９と、タグ７に送信信号として光信号を出射する光発行部６１と、送信データ変換部６２と、受信部６３と、アンテナ部６４とから構成されており、外部記憶ＩＦ１６には外部記憶媒体が挿抜自在となっている。
【００５４】
ディジタルカメラ６は撮影部１２による撮影時点で、撮影部１２にて撮影したディジタル画像データと、そのディジタル画像データに対応して撮影情報発生部１４にて撮影番号を発生させて関連付けるとともに、その他の撮影日時、撮影条件を含めた情報を撮影情報として外部記憶媒体に記憶する。
【００５５】
また同時に、ディジタルカメラ６は送信開始の起動信号である第１の送信信号を送信データ変換部６２によって送信データに変換し、光発光部６１から光信号としてタグ７へ向けて送信する。
【００５６】
図９において、タグ７はアンテナ部７４と、アンテナ部７４を介して信号の送信を行う送信部７３と、タグ７固有のタグＩＤ番号を記憶したＩＤ記憶部２３と、送信時間を制御するタイマ部２４と、全体を制御する制御部２５と、電源部２６と、ディジタルカメラ６からの光信号を受信する光センサ部７１と、データ識別部７２とから構成されている。
【００５７】
タグ７側では、ディジタルカメラ６によって撮影された時点で光発光部６１にて発光送信された光信号を光センサ７１にて検出すると同時に、光信号からの情報をデータ識別部７２にて識別し、送信起動信号と判断すると、タグＩＤ番号を送信部７３からアンテナ部７４を介して第２の送信信号として送信する。
【００５８】
ディジタルカメラ６は送信されてきた第２送信信号をアンテナ６４を介して受信部６３にて受信し、第２送信信号からタグＩＤ番号を識別すると、ディジタル画像データ３２の撮影番号に対応してタグＩＤ番号を撮影情報３３として外部記憶媒体３に記憶する、以降、他のタグ７から送信されてきた第２の送信信号を受信すると、撮影情報３３として順次記憶する。
【００５９】
以降、写真プリンタによるト写真プリントまでの処理動作は、上述した本発明の一実施例による処理動作と同様であるので、その処理動作についての説明は省略する。
【図面の簡単な説明】
【００６０】
【図１】本発明の一実施例によるディジタル画像データの写真プリントシステムの構成を示す概念図である。
【図２】図１のディジタルカメラの構成を示すブロック図である。
【図３】図１のタグの構成を示すブロック図である。
【図４】図１の外部記憶媒体の構成を示すブロック図である。
【図５】図１のタグとそのタグを所持する参加者とのリストを示す図である。
【図６】図１の外部記憶媒体に記憶される画像データ及び撮影情報の記憶リスト例を示す図である。
【図７】本発明の一実施例による写真プリントシステムの動作を示すシーケンスチャートである。
【図８】本発明の他の実施例によるディジタルカメラの構成を示すブロック図である。
【図９】本発明の他の実施例によるタグの構成を示すブロック図である。
【符号の説明】
【００６１】
１，６  ディジタルカメラ
２，７  タグ
３  外部記憶媒体
４  パーソナルコンピュータ
５  写真プリンタ
１１，２１，
６４，７４  アンテナ部
１２  撮影部
１３，２２  送受信部
１４  撮影情報発生部
１５，２５  制御部
１６  外部記憶ＩＦ
１７  表示部
１８  入力部
１９，２６  電源部
２３  ＩＤ記憶部
２４  タイマ部
３１  ディジタル画像データファイル
３２  ディジタル画像データ
３３  撮影情報
３４  ＩＦ部
６１  光発行部
６２  送信データ変換部
６３  受信部
７１  光センサ部
７２  データ識別部
７３  送信部
【図１】
2005303750.tif 000003
【図２】
2005303750.tif 000004
【図３】
2005303750.tif 000005
【図４】
2005303750.tif 000006
【図５】
2005303750.tif 000007
【図６】
2005303750.tif 000008
【図７】
2005303750.tif 000009
【図８】
2005303750.tif 000010
【図９】
2005303750.tif 000011